【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
少なくとも１つの温度制御ゾーンに結合することのできる伝熱システムであって、システムの要素が、
（ｉ）少なくとも１つの液体冷媒ライン、
（ii）Ｒ２２または７.０〜９.０ｗｔパーセントのジフルオロメタン、３９.０〜５０.０ｗｔパーセントのペンタフルオロエタン、３９.０〜５０.０ｗｔパーセントの１，１，１，２−テトラフルオロエタン、および本質的に１.５〜１.８ｗｔ％のｎ−ブタンおよび０.４〜０.７ｗｔ％のイソペンタンまたは０.４〜０.７ｗｔ％のｎ−ペンタンからなる１.９〜２.５ｗｔパーセントの炭化水素を含む組成物と共に用いるのに適した少なくとも１つの膨張弁、
（iii）少なくとも１つの蒸発器、
（iv）少なくとも１つの圧縮器、
（ｖ）少なくとも１つの凝縮器、
（vi）少なくとも１つの蒸気冷媒ラインを含み、ここで要素の全てが、入口側と出口側とを有しており、要素（ｉ）〜（vi）は一緒に流体連通しており、かつ７.０〜９.０ｗｔパーセントのジフルオロメタン、３９.０〜５０.０ｗｔパーセントのペンタフルオロエタン、３９.０〜５０.０ｗｔパーセントの１，１，１，２−テトラフルオロエタン、および本質的に１.５〜１.８ｗｔ％のｎ−ブタンおよび０.４〜０.７ｗｔ％のイソペンタンまたは０.４〜０.７ｗｔ％のｎ−ペンタンからなる１.９〜２.５ｗｔパーセントの炭化水素を含む組成物を収容しており、システムが、２つの端部を有する少なくとも１つの検出要素をさらに含み、ここで一つの端部が、少なくとも１つの蒸発器の出口側に通信可能に結合され、一つの端部が、少なくとも１つの膨張弁に通信可能に結合されており、少なくとも１つの検出要素が、Ｒ２２を凝縮器−蒸発器回路に用いる場合の使用に適した流体を収容している伝熱システム。
【請求項２】
少なくとも１つの蒸発器、少なくとも１つの分配器および少なくとも１つのＲ２２向きの膨張弁、およびＲ２２を凝縮器−蒸発器回路に用いる場合の使用に適した流体を有する少なくとも１つの検出要素を有する、冷蔵庫、ウォークインクーラー、冷却器、農産物ディスプレイケース、フリーザーまたは空調機器であって、改良が、凝縮器−蒸発器回路において、Ｒ２２向きの検出要素を、７.０〜９.０ｗｔパーセントのジフルオロメタン、３
９.０〜５０.０ｗｔパーセントのペンタフルオロエタン、３９.０〜５０.０ｗｔパーセントの１，１，１，２−テトラフルオロエタン、および本質的に１.５〜１.８ｗｔ％のｎ−ブタンおよび０.４〜０.７ｗｔ％のイソペンタンまたは０.４〜０.７ｗｔ％のｎ−ペンタンからなる１.９〜２.５ｗｔパーセントの炭化水素を含む組成物と組み合わせて有することを含む、冷蔵庫、ウォークインクーラー、冷却器、農産物ディスプレイケース、フリーザーまたは空調機器。
【請求項３】
システムの凝縮器−蒸発器回路にＲ２２を有し、Ｒ２２膨張弁を有し、そしてＲ２２を凝縮器−蒸発器回路に用いる場合の使用に適した流体を有する検出要素を有する伝熱システムを改良する方法であって、
（ｉ）Ｒ２２を、システムの凝縮器−蒸発器回路から取り出し、
（ii）システムの凝縮器−蒸発器回路を、Ｒ２２と実質的に同じ飽和蒸気圧を有し、Ｒ２２の冷却能力の少なくとも９０％を有し、弁ローディング能力を上記Ｒ２２膨張弁の１３０％を超えて増大しない代替組成物で充填することを含む、方法。
【請求項４】
代替冷媒を用いることをさらに含み、前記方法は、７.０〜９.０ｗｔパーセントのジフルオロメタン、３９.０〜５０.０ｗｔパーセントのペンタフルオロエタン、３９.０〜５０.０ｗｔパーセントの１，１，１，２−テトラフルオロエタン、および本質的に１.５〜１.８ｗｔ％のｎ−ブタンおよび０.４〜０.７ｗｔ％のイソペンタンまたは０.４〜０.７ｗｔ％のｎ−ペンタンからなる１.９〜２.５ｗｔパーセントの炭化水素を含む組成物を、工程（ii）の充填冷媒として用いることを含む請求項３に記載の方法。
【請求項５】
検出要素の流体を、工程（ii）で用いたのと同じ冷媒で置き換えることをさらに含む請求項３に記載の方法。
【請求項６】
前記方法が、検出要素中の流体を、７.０〜９.０ｗｔパーセントのジフルオロメタン、３９.０〜５０.０ｗｔパーセントのペンタフルオロエタン、３９.０〜５０.０ｗｔパーセントの１，１，１，２−テトラフルオロエタン、および本質的に１.５〜１.８ｗｔ％のｎ−ブタンおよび０.４〜０.７ｗｔ％のイソペンタンまたは０.４〜０.７ｗｔ％のｎ−ペンタンからなる１.９〜２.５ｗｔパーセントの炭化水素を含む組成物で置き換えることをさらに含む請求項３に記載の方法。
【請求項７】
前記方法が、膨張弁を、７.０〜９.０ｗｔパーセントのジフルオロメタン、３９.０〜５０.０ｗｔパーセントのペンタフルオロエタン、３９.０〜５０.０ｗｔパーセントの１，１，１，２−テトラフルオロエタン、および本質的に１.５〜１.８ｗｔ％のｎ−ブタンおよび０.４〜０.７ｗｔ％のイソペンタンまたは０.４〜０.７ｗｔ％のｎ−ペンタンからなる１.９〜２.５ｗｔパーセントの炭化水素を含む組成物用に選択された膨張弁で置き換えることをさらに含む請求項３に記載の方法。
【請求項８】
少なくとも１つの温度制御ゾーンに結合することのできる冷蔵または空調システムであって、システムの要素が、
（ｉ）少なくとも１つの液体冷媒ライン、
（ii）温度自動膨張弁、電子膨張弁、自動膨張デバイス、毛細管弁、フロート式膨張弁およびこれらの組み合わせからなる群から選択され、７.０〜９.０ｗｔパーセントのジフルオロメタン、３９.０〜５０.０ｗｔパーセントのペンタフルオロエタン、３９.０〜５０.０ｗｔパーセントの１，１，１，２−テトラフルオロエタン、および本質的に１.５〜１.８ｗｔ％のｎ−ブタンおよび０.４〜０.７ｗｔ％のイソペンタンまたは０.４〜０.７ｗｔ％のｎ−ペンタンからなる１.９〜２.５ｗｔパーセントの炭化水素を含む組成物と共に使用するために選択される少なくとも１つの計量装置、
（iii）少なくとも１つの蒸発器、
（iv）少なくとも１つの圧縮器、
（ｖ）少なくとも１つの凝縮器、
（vi）少なくとも１つの蒸気冷媒ラインを含み、ここで要素の全てが、入口側と出口側を有し、要素（ｉ）〜（vii）が、一緒に流体連通しており、かつ７.０〜９.０ｗｔパーセントのジフルオロメタン、３９.０〜５０.０ｗｔパーセントのペンタフルオロエタン、３９.０〜５０.０ｗｔパーセントの１，１，１，２−テトラフルオロエタン、および本質的に１.５〜１.８ｗｔ％のｎ−ブタンおよび０.４〜０.７ｗｔ％のイソペンタンまたは０.４〜０.７ｗｔ％のｎ−ペンタンからなる１.９〜２.５ｗｔパーセントの炭化水素を含む組成物またはＲ２２を収容し、かつシステムが、２つの端部を有する検出要素をさらに含み、ここで、検出要素の一つの端部が、蒸発器の出口側に通信可能に結合され、他方の端部が、少なくとも１つの膨張弁に通信可能に結合しており、前記検出要素はその中に７.０〜９.０ｗｔパーセントのジフルオロメタン、３９.０〜５０.０ｗｔパーセントのペンタフルオロエタン、３９.０〜５０.０ｗｔパーセントの１，１，１，２−テトラフルオロエタン、および本質的に１.５〜１.８ｗｔ％のｎ−ブタンおよび０.４〜０.７ｗｔ％のイソペンタンまたは０.４〜０.７ｗｔ％のｎ−ペンタンからなる１.９〜２.５ｗｔパーセントの炭化水素を含む組成物を有するシステム。
【請求項９】
少なくとも１つの計量装置が、Ｒ２２と共に用いるために選択された少なくとも１つの温度自動膨張弁である請求項８に記載のシステム。
【請求項１０】
少なくとも１つの計量装置が、少なくとも２つの温度自動膨張弁と２つの検出要素とを含み、少なくとも１つの膨張弁が、Ｒ２２で用いるために選択されたものであり、Ｒ２２を凝縮器−蒸発器回路に用いる場合の使用に適した流体を１つの検出要素素子が収容しており、少なくとも１つの他の検出要素が、７.０〜９.０ｗｔパーセントのジフルオロメタン、３９.０〜５０.０ｗｔパーセントのペンタフルオロエタン、３９.０〜５０.０ｗｔパーセントの１，１，１，２−テトラフルオロエタン、および本質的に１.５〜１.８ｗｔ％のｎ−ブタンおよび０.４〜０.７ｗｔ％のイソペンタンまたは０.４〜０.７ｗｔ％のｎ−ペンタンからなる１.９〜２.５ｗｔパーセントの炭化水素を含む組成物を収容している請求項８に記載のシステム。